(57)【特許請求の範囲】
【請求項１】
光ファイバ（１９）を湾曲収納可能な板状のケース状のモジュール本体（１１）の側部に、前記光ファイバを外部の別のファイバ（１２）とコネクタ接続可能に成端する光コネクタ（１３）が取り付けられてなる光モジュールであって、
前記モジュール本体側部には、作業用開口部（１８）と、前記モジュール本体内外に光ファイバ（１９）を連通させる光ファイバ口（２０）とが互いに離間させて開口され、さらに、前記作業用開口部と前記光ファイバ口との間が前記モジュール本体の厚さ方向一側に形成されたスリット（２１）によって連通され、このスリットを介して、外側から前記モジュール本体内部に光ファイバを収納できるようになっており、
外側から前記スリットを通過させた光ファイバを収納する光ファイバ収納部（１６）と、この光ファイバ収納部に対して中蓋（１５）によって仕切られた光部品収納空間（１７）とが、前記モジュール本体内部に形成され、
前記光部品収納空間は、前記モジュール本体内部に収納可能な光ファイバ（１９）に接続された光ファイバ（２２）が収納可能であり、この光ファイバ（２２）が前記光コネクタ（１３）に接続可能であることを特徴とする光モジュール（１０）。
【請求項２】
前記モジュール本体側部の光コネクタと接続されてモジュール本体内部に収納された光ファイバ（２２）と、外側から前記モジュール本体内に前記スリットを介して収納される光ファイバ（１９）とが、それぞれの先端をコネクタ接続可能に成端する光コネクタ（１９ａ、２４）を介して接続可能であり、前記作業用開口部あるいはその近傍には、前記光コネクタを取り出し可能に保持するコネクタ保持部（２５）が設けられていることを特徴とする請求項１記載の光モジュール。
【発明の詳細な説明】
【０００１】
【発明の属する技術分野】
本発明は、光ファイバを湾曲収納し、かつ、収納した光ファイバを外部の別のファイバとコネクタ接続可能に成端する光コネクタを側部に備える光モジュールに関するものである。
【０００２】
【従来の技術】
例えば、光ケーブル端末に引き出された複数本の光ファイバを、別の光ファイバとコネクタ接続可能に成端するには、前記光ケーブル側の光ファイバ先端を光モジュールに組み込み、この光モジュール側部の光コネクタによって、別の光ファイバとコネクタ接続可能に成端することが行われている。
図６は、この種の光モジュールの一例を示す斜視図である。
図６において、光モジュール１は、ケース状のモジュール本体２の一側部に、光コネクタ３（光コネクタアダプタ）を取り付けた構造になっている。前記モジュール本体２内に収納した光ファイバ４の一端は、モジュール本体２内にて前記光コネクタ３と接続され、他端は光コネクタ５によってコネクタ接続可能に成端されている。図６中、光ケーブル６端末に口出しされた光ファイバ７先端は、光コネクタ８によってコネクタ接続可能に成端されている。光コネクタ５、８によって、光ファイバ４、７同士を接続すると、光ファイバ７が、光ファイバ４を介して光コネクタ３と接続され、この光コネクタ３を介して別の光ファイバ９とコネクタ接続可能に成端される。例えば、ＪＩＳ  Ｃ  ５９８１に制定されるＭＴ形光コネクタ（Mecanically Transferable）によってコネクタ接続可能に成端された光ファイバテープ心線である多心の光ファイバ７は、ＪＩＳ  Ｃ  ５９７３に制定されるＳＣ形光コネクタ（Single fiber Coupling optical fiber connector）によってコネクタ接続可能に成端された別の単心の光ファイバ９に対して直接接続することができないが、光モジュール１側の光ファイバ４を介して単心分岐して、この光モジュール１の光コネクタ３であるＳＣ形光コネクタアダプタに接続することで、別の光ファイバ９に対して接続可能に成端される。
光ファイバ４と接続された光ファイバ７の余長は、光コネクタ５、８とともに、モジュール本体２内に収納される。
【０００３】
【発明が解決しようとする課題】
ところで、前述のような光モジュール１の場合、モジュール本体２内蔵の光ファイバ４に、光ケーブル６側の光ファイバ７を接続するには、図６中仮想線に示すように、モジュール本体２の蓋２ａを取り外して、モジュール本体２から光ファイバ４を引き出す必要がある。また、接続の完了した光ファイバ４、７を、光特性に影響を与えないように湾曲処理してモジュール本体２内に収納し、この湾曲状態を崩さないように注意を払いつつ蓋２ａを閉じる必要がある。このように、この光モジュール１では、蓋２ａの開閉が必要であることに起因して、光ファイバ７の収納作業に手間がかかり、作業性を向上できないといった不満があった。
また、光モジュール１は、架体等に収納されている場合、光ケーブル６側の光ファイバ７を収納するには、収納場所から引き出して作業台上に寝かせて載置してから、蓋２ａを外して開放し、光ファイバ４、７同士の接続、湾曲処理、収納を完了して蓋２ａを閉じた後、再び、作業台上から所定の収納場所へ収納する必要がある。したがって、作業台を用意したり、架体近傍に作業台の設置スペースを確保する必要がある。また、光モジュール１を、架体と作業台との間で搬送する手間もかかるといった問題があった。
【０００４】
本発明は、前述の課題に鑑みてなされたもので、モジュール本体を開放すること無く、外側からモジュール本体内に光ファイバを簡単に収納して、この光ファイバをモジュール本体側部の光コネクタによってコネクタ接続可能に成端でき、光ファイバの収納作業性、成端作業性を向上できる光モジュールを提供することを目的とする。
【０００５】
【課題を解決するための手段】
本発明では、光ファイバを湾曲収納可能な板状のケース状のモジュール本体の側部に、前記光ファイバを外部の別のファイバとコネクタ接続可能に成端する光コネクタが取り付けられてなる光モジュールであって、前記モジュール本体側部には、作業用開口部と、前記モジュール本体内外に光ファイバを連通させる光ファイバ口とが互いに離間させて開口され、さらに、前記作業用開口部と前記光ファイバ口との間が前記モジュール本体の厚さ方向一側に形成されたスリットによって連通され、このスリットを介して、外側から前記モジュール本体内部に光ファイバを収納できるようになっており、外側から前記スリットを通過させた光ファイバを収納する光ファイバ収納部と、この光ファイバ収納部に対して中蓋によって仕切られた光部品収納空間とが、前記モジュール本体内部に形成され、前記光部品収納空間は、前記モジュール本体内部に収納可能な光ファイバに接続された光ファイバが収納可能であり、この光ファイバが前記光コネクタに接続可能である光モジュールを前記課題の解決手段とした。
【０００６】
この光モジュールによれば、スリットを介して、外側から前記モジュール本体内部に光ファイバを収納できるので、モジュール本体を開放する必要ない。作業用開口部を利用することで、光ファイバ同士の接続作業、余長の湾曲処理、収納等の作業を行うことができる。
この発明の光モジュールによれば、スリットを通過させた光ファイバの光ファイバ収納部への収納作業が、光部品収納空間に収納された光部品に影響することを防止できる。したがって、光ファイバ収納部への光ファイバの収納作業は、光部品収納空間に収納された光部品との接触等を懸念すること無く、効率良く行うことができる。
【０００７】
請求項２記載の発明は、請求項１記載の光モジュールにおいて、前記モジュール本体側部の光コネクタと接続されてモジュール本体内部に収納された光ファイバと、外側から前記モジュール本体内に前記スリットを介して収納される光ファイバとが、それぞれの先端をコネクタ接続可能に成端する光コネクタを介して接続可能であり、前記作業用開口部あるいはその近傍には、前記光コネクタを取り出し可能に保持するコネクタ保持部が設けられていることを特徴とする。
この光モジュールによれば、外側からモジュール本体に収納する光ファイバを、モジュール側の光ファイバとコネクタ接続するだけで、モジュール側光ファイバを介して、モジュール本体側部の光コネクタと光接続でき、この光コネクタによって別の光ファイバとコネクタ接続可能に成端できる。接続前のモジュール側光ファイバの光コネクタや、この光ファイバとスリットを介して収納される光ファイバとを接続した光コネクタは、スリットと連通されている作業用開口部あるいはその近傍のコネクタ保持部に取り出し可能に保持することで、モジュール本体内に落ち込むことなく保持されるため、使用時には、効率良く取り出せる。
【０００８】
【発明の実施の形態】
以下、本発明の光モジュールの１実施の形態を、図１から図５を参照して説明する。
図１は本実施の形態の光モジュール１０を示す全体斜視図、図２は光モジュール１０を示す正面図、図３は蓋１１ａを取り外して開放したモジュール本体１１を示す斜視図である。
図１、図２、図３において、この光モジュール１０は、外側から光ファイバが湾曲収納される外観薄板ケース状のモジュール本体１１の一側部に、光コネクタ１３（図１においては、単心用あるいは多心用の光コネクタアダプタ）が取り付けられた構造になっている。光コネクタ１３は、モジュール本体１１内に湾曲収納される光ファイバを、別の単心あるいは多心の光ファイバ１２とコネクタ接続可能に成端するものであり、単心用の光コネクタ１３としては、例えば、ＳＣ形光コネクタアダプタ等が採用される。
【０００９】
前記モジュール本体１１は、当該モジュール本体１１の厚さ方向一側の外板の一部を構成する着脱自在の蓋１４と、モジュール本体１１内部に収納される中蓋１５とを備える。図４（ａ）、（ｂ）、（ｃ）に示すように、モジュール本体１１の外板部１１ａ内面側には、スペーサ突起１１ｂ、１１ｃと、ガイド壁１１ｄ、１１ｅとが複数箇所に突設されている。光コネクタ１３近傍のスペーサ突起１１ｂは、スペーサ突起１１ｃに比べて外板部１１ａからの突出寸法が大きく、その先端は、モジュール本体１１の厚さ方向反対側の外板近傍に到達されている。スペーサ突起１１ｃ先端は、モジュール本体１１の厚さ方向中央部に位置されている。
【００１０】
中蓋１５は、外板部１１ａからの突出寸法の小さいスペーサ突起１１ｃやガイド壁１１ｄ、１１ｅに当接させるとともに、図３に示すように、当該中蓋１５のスペーサ突起１１ｃに対応する位置に複数形成された穴１５ｅに挿入したネジ（図示せず）を前記スペーサ突起１１ｃに対して螺着することで、モジュール本体１１の厚さ方向中央部に安定支持される。また、中蓋１５の一側部に形成された屈曲部１５ｆは、モジュール本体１１側部の光コネクタ１３近傍にて、スペーサ突起１１ｂに当接して配置され、さらに、その外側から重ね合わされた蓋１４とともにネジ１１ｇ（図１参照）によって固定される。外板部１１ｆや蓋１４は、中蓋１５から複数突出されたスペーサ突起１５ａ（図３参照）や、モジュール本体１１の外板部１１ａ周囲に立ち上げられた側壁１１ｋ内面側から突設されたリブ１１ｉ等（屈曲部１５ｆや図示を省略したリブ等を含む）に当接させた上、穴１１ｈ、１４ａ等から捩じ込んだネジ（図示せず）を、モジュール本体外板部１１ａから突設したスペーサ突起１１ｃや中蓋１５のスペーサ突起１５ａに螺着することによって着脱可能に固定され、これにより、中蓋１５から所定の離間距離を隔てた位置に支持される。蓋１４や外板部１１ｆは、モジュール本体１１内部方向への落ち込みが防止されている。モジュール本体１１の、光コネクタ１３に対向する他側部に突設された突部１１ｊは、こ光モジュール１０を収納する架体等に対する位置決めの機能を果たすものであり、その突設位置、形成の要否は、適宜選択可能である。
なお、モジュール本体１１厚さ方向での蓋１４の取り付け位置や、中蓋１５の収納位置を設定するための構成としては、前述に限定されず、各種構成が採用可能である。例えば、中蓋１５の両面から突出させたスペーサ突起等のみによって、これら蓋や中蓋を位置決めする構成や、モジュール本体外板部１１ａ、１１ｆや蓋１４から突出させたスペーサ突起等により中蓋を位置決めする構成等が採用可能である。
【００１１】
図５（ａ）に示すように、モジュール本体１１内部には、中蓋１５によって、二つの空間（光ファイバ収納部１６と、光部品収納空間１７）が画成される。
図１に示す状態から蓋１４を取り外すと、中蓋１５の大部分が露出され、外板部１１ｆをも取り外すと、図３に示すように、光ファイバ収納部１６全体が露出されて開放される。
【００１２】
図１、図２、図３に示すように、モジュール本体１１側部には、作業用開口部１８と、前記モジュール本体１１内外に、例えば多心光ファイバ心線等である光ファイバ１９を連通させる光ファイバ口２０とが、互いに離間させて開口されている。前記作業用開口部１８と前記光ファイバ口２０との間は、モジュール本体１１に取り付けられた蓋１４と外板部１１ｆとの間に形成されたスリット２１によって連通されている。
【００１３】
図１においては、作業用開口部１８は、モジュール本体１１の光コネクタ１３近傍を切り欠いた形状であり、光ファイバ収納部１６と、光部品収納空間１７とが連通されている。さらに、この作業用開口部１８は、中蓋１５に形成した切欠部１５ｂによって、光コネクタ１３近傍にまで到達されているので、この作業用開口部１８から手や工具を入れることで、モジュール本体１１内部での作業を行うことできる。光ファイバ口２０は、モジュール本体１１の前記光コネクタ１３に対向する他側部に開口された穴であり、図１においては、光ファイバ収納部１６のみに連通されている。
作業用開口部１８、光ファイバ口２０は、いずれも、外板部１１ｆと蓋１４との境界を含むように形成されているので、モジュール本体１１に蓋１４や外板部１１ｆを取り付けると、いずれにもスリット２１が連通され、作業用開口部１８と光ファイバ口２０との間が、スリット２１によって連通される。
【００１４】
前記スリット２１は、光ファイバ１９が通過可能になっている。したがって、モジュール本体１１に蓋１４や外板部１１ｆを装着したままであっても、このスリット２１を介して、外側から前記モジュール本体１１内の光ファイバ収納部１６内に光ファイバ１９を収納できる。図１に示したスリット２１は、作業用開口部１８と光ファイバ口２０との間にて概略Ｓ字状に湾曲されているため、直線状のスリットに比べて、光ファイバ収納部１６への光ファイバ１９の湾曲収納に適している。また、スリット２１の湾曲に沿って湾曲させた状態にてモジュール本体１１内に収納された光ファイバ１９は、モジュール本体１１内にて、自身の剛性によって直線状に戻ろうとするので、スリット２１通過時の湾曲形状は維持されない。したがって、スリット２１からモジュール本体１１内に収納後の光ファイバ１９は、スリット２１を通過できない形状になることで、モジュール本体１１から外へ突出することが防止され、良好な納まり状態が得られ、収納作業性が向上する。
【００１５】
光ファイバ１９先端をコネクタ接続可能に成端する光コネクタ１９ａは、作業用開口部１８からモジュール本体１１内（詳細には、光ファイバ収納部１６内）に収納できるので、これにより、蓋１４を開放することなく、光ファイバ１９を先端の光コネクタ１９ａを含めてモジュール本体１１内に収納できる。
なお、スリット２１としては、作業用開口部１８と光ファイバ口２０との間に直線状に延在する構成も採用可能であることは言うまでも無い。
【００１６】
図４（ｂ）に示すように、光部品収納空間１７には、光部品として、モジュール本体１１内側から光コネクタ１３に接続された多心の光ファイバ２２（多心光ファイバ心線等）や、複数の光コネクタ１３に対して光ファイバ２２を複数本の光ファイバ２２ａに分岐する分岐部２３等が収納されている。光ファイバ２２から分岐された光ファイバ２２ａの余長は、光部品収納空間１７内のマンドレル１７ａに巻き付ける等により湾曲収納される。この光部品収納空間１７は、光ファイバ収納部１６に対して中蓋１５によって仕切られているので、スリット２１を通過させた光ファイバ１９の光ファイバ収納部１６への収納作業が、光部品収納空間１７に収納された光部品２２、２３に振動等を与えて、光特性に影響することを防止できる。したがって、光ファイバ収納部１６への光ファイバ１９の収納作業は、光部品収納空間１７に収納された光部品２２、２３との接触等に注意する必要無く、効率良く行うことができる。
なお、光部品収納空間１７内には、途中に光カプラや光フィルタ等の光部品が介在された光ファイバ等も収納できる。この場合も、光部品を光部品収納空間１７内に収納することで、光ファイバ収納部１６への光ファイバ１９の収納作業の影響を回避できる。また、前記光カプラや光フィルタ等の光部品は、光部品収納空間１７内にガイド壁１１ｄ、１１ｅによって画成された収納空間１７ｂ内に収納することも可能である。この収納空間１７ｂでは、ガイド壁１１ｄ、１１ｅによって、内部に収納した光部品と光ファイバ２２、２２ａとの接触が防止されているので、光ファイバ収納空間１６での光ファイバ２２の引き出しや収納等の作業（後述）を行っても、光部品の光特性を安定に維持できる。
【００１７】
図３に示すように、前記光ファイバ収納部１６と前記光部品収納空間１７との間は、前記中蓋１５に形成された連通部１５ｃを介して連通されている。図３および図５（ａ）、（ｂ）、（ｃ）において、連通部１５ｃは、モジュール本体１１の光コネクタ１３に対して離間して配置される中蓋１５後部（図３中、紙面奥側、図５（ａ）、（ｂ）中右側）に形成された舌片１５ｄを、光ファイバ収納部１６、光部品収納空間１７のいずれか一方に折り込んで（本実施の形態では、光部品収納空間１７側への折り込み）形成した隙間である。
なお、中蓋１５は、プラスチック等の樹脂から一体成形されたプレート状であり、接触によって光ファイバ１９、２２を傷めないようになっている。舌片１５ｄは、手動で簡単に折り曲げ成形できることが好ましい。
【００１８】
図２および図３に示すように、光ファイバ２２の分岐部２３によって複数本の光ファイバ２２ａに分岐された一端に対して、反対側の端部は、多心用の光コネクタ２４によってコネクタ接続可能に成端されており、光部品収納空間１７から連通部１５ｃを介して光ファイバ収納部１６へ引き込まれている。そして、この光ファイバ２２の光コネクタ２４近傍は、光ファイバ収納部１６内にて余長が湾曲収納されるとともに、作業用開口部１８へ引き上げられて、中蓋１５に設けられたコネクタ保持部２５によって、着脱自在に保持される。これにより、光コネクタ２４は、モジュール本体１１内への落ち込みが防止され、いつでも容易に取り出すことが可能になっている。
【００１９】
なお、図１、図２において、多心の光ファイバ１９、２２としては、光ファイバテープ心線を採用し、これら光ファイバ１９、２２先端の多心用の光コネクタ１９ａ、２４としては、ＪＩＳ  Ｃ  ５９８１に制定されるいわゆるＭＴ形光コネクタ（Mecanically Transferable）を採用している。但し、多心光ファイバとしては、多心光コード等各種構成が採用可能である。光ファイバ同士を接続する多心用光コネクタとしては、ＭＴ形光コネクタ以外の各種光コネクタの採用が可能である。
【００２０】
また、コネクタ保持部２５としては、切欠部１５ｂ近傍にて中蓋１５に一体に突出形成したものを採用している。このコネクタ保持部２５は、スリット２５ａに光ファイバ１９、２２を引出可能に挟み込むことで、凹所２５ｂ内に光コネクタ１９ａ、２４を取り出し可能に収納する構成になっている。
コネクタ保持部としては、前述の構成に限定されず、例えば、中蓋１５に別体の構成や、光ファイバ１９、２２を挟み込む構成では無く、光コネクタ１９ａ、２４を直接取り出し可能に挟み込む構成等、各種構成が採用可能である。また、コネクタ保持部の設置位置としては、作業用開口部１８内あるいはその近傍であれば、中蓋に限定されず、モジュール本体外板部１１ａや蓋１４等であっても良い。但し、モジュール本体外板部１１ａや中蓋１５の光部品収納空間１７に臨む箇所に取り付ける場合には、作業用開口部１８を介して、光ファイバ収納部１６から引き込まれる光ファイバに充分な湾曲半径が確保できるようにする。
【００２１】
図１に示すように、光ケーブル２６端末に口出しされた光ファイバ１９先端を、光モジュール１０に組み込み、光コネクタ１３によりコネクタ接続可能に成端するには、光コネクタ１９ａ、２４同士の接続により、光ファイバ１９を光モジュール１０側の光ファイバ２２と接続する。これにより、光ファイバ１９が光ファイバ２２を介して複数の光コネクタ１３と光接続され、この光コネクタ１３を介して別の光ファイバ１２とコネクタ接続可能に成端される。光コネクタ１９ａ、２４同士の接続作業にあっては、光ファイバ２２先端の光コネクタ２４をコネクタ保持部２５から取り出し、さらに、光ファイバ収納部１６内に収納されていた余長を利用して光ファイバ２２を引き出して、接続作業を行う。
例えば、８心の光ファイバ１９を、光コネクタ１９ａ、２４の接続によって、モジュール側の同じく８心の光ファイバ２２と接続し、光ファイバ２２を介して８本の単心光ファイバ２２ａに単心分岐して、単心のＳＣ形光コネクタ１３に接続すると、光ファイバ１９が、ＳＣ形光コネクタ１２ａによってコネクタ接続可能に成端された単心光ファイバ１２に対してコネクタ接続可能に成端される。
【００２２】
接続状態の光コネクタ１９ａ、２４は、作業用開口部１８からコネクタ保持部２５に保持する。光ファイバ１９との接続作業のため引き出されたモジュール側の光ファイバ２２の余長は、光ファイバ１９の余長とともに、作業用開口部１８からモジュール本体１６内（詳細には光ファイバ収納部１６内）に押し込んで湾曲収納する。
したがって、光ファイバ１９、２２同士の接続作業、接続後の光ファイバ１９、２２や光コネクタ１９ａ、２４の収納作業は、モジュール本体１１を開放すること無く行うことができ、モジュール本体１１の開閉作業を省略でき、作業性を向上できる。
【００２３】
接続状態の光コネクタ１９ａ、２４をコネクタ保持部２５から取り出せば、モジュール本体１１から（詳細には光ファイバ収納部１６から）、光ファイバ１９、２２や光コネクタ１９ａ、２４を取り出すことができる。接続状態の光コネクタ１９ａ、２４は、コネクタ保持部２５に保持されていることで、モジュール本体１１内への落ち込みが防止され、しかも、容易に取り出せる。光コネクタ１９ａ、２４同士の接続を解除すれば、光ファイバ口２０から光ファイバ１９を引き出して、光モジュール１０から抜き出すことができる。
なお、これら接続作業や接続解除作業は、中蓋１５によって光ファイバ収納部１６に対して仕切られた光部品収納空間１７内の光部品２２、２３には影響を与えること無く、効率良く行うことができる。
また、場合によっては、蓋１４や外板部１１ｆを開放して、光ファイバ収納部１６内での光ファイバ１９、２２の配線状態の修正等を行うことも可能であることは言うまでも無い。
【００２４】
特に、成端架等に収納されている光モジュール１０では、作業用開口部１８、光ファイバ口２０、スリット２１が露出する程度に、収納場所から引き出せば、光ファイバ１９、２２同士の接続や、光ファイバ１９の余長収納等の作業を行うことができ、収納場所から抜き出した光モジュール１０を作業台上にて開閉したり、収納場所と作業台との間で光モジュール１０を移送する作業が不要になり、作業性を大幅に向上できる。架体等の収納場所の周囲に、作業台の設置スペース等を確保する必要も無い。
【００２５】
なお、前記実施の形態では、多心の光ファイバ１９を光コネクタ１３によってコネクタ接続可能に成端する光モジュール１０を例示したが、本発明は、これに限定されず、例えば、単心の光ファイバを、光モジュール側部の光コネクタによって、別の光ファイバとコネクタ接続可能に成端する構成も採用可能である。
また、外部からモジュール本体内に収納された光ファイバが、モジュール側の光ファイバを介すること無く、直接、モジュール本体側部の光コネクタに接続される構成も採用可能である。
モジュール本体としては、中蓋によって内部を仕切って、光ファイバ収納部と光部品収納空間とが画成されている構成に限定されず、中蓋を備えず、内部が複数の空間に仕切られていない構成も採用可能である。
本発明では、開閉可能な蓋等を備えていない構成も採用可能である。
【００２６】
前記実施の形態では、光コネクタ１９ａによってコネクタ接続可能に成端されている光ファイバ１９の適用例を示したが、本発明はこれに限定されず、コネクタ接続可能に成端されていない光ファイバについても適用可能である。例えば、外部の光ファイバが、モジュール側の光ファイバと融着接続されることで、モジュール本体側部の光コネクタと光接続される構成も採用可能である。この場合、光ファイバ同士の融着接続部を、モジュール本体側部の作業用開口部からモジュール本体内に収納するか若しくは作業用開口部近傍の融着部ホルダに保持することで、接続解除時の融着接続部の取り出しを容易にすることができる。
【００２７】
【発明の効果】
以上説明したように、本発明の光モジュールによれば、外部の光ファイバを、モジュール本体側部のスリットを介して、前記モジュール本体内部に収納できるので、モジュール本体を開放すること無く光ファイバの収納作業を行うことができ、モジュール本体の開閉を省略できること等により、作業性を向上できるといった優れた効果を奏する。
【００２８】
請求項２記載の光モジュールによれば、外側から前記スリットを通過させた光ファイバを収納する光ファイバ収納部と、この光ファイバ収納部に対して中蓋によって仕切られた光部品収納空間とが、前記モジュール本体内部に形成されているため、スリットを通過させた光ファイバの光ファイバ収納部への収納作業が、光部品収納空間に収納された光部品に影響することを防止でき、光部品収納空間内の光部品の光特性を安定に維持できるとともに、光部品との接触の懸念が無くなることから光ファイバ収納部への光ファイバの収納作業性を向上できるといった優れた効果を奏する。
【００２９】
請求項３記載の光モジュールによれば、外側からモジュール本体に収納する光ファイバを、モジュール側の光ファイバとコネクタ接続するだけで、モジュール側光ファイバを介して、モジュール本体側部の光コネクタと光接続でき、別の光ファイバとコネクタ接続可能に成端することが簡単であり、光ファイバの成端作業性、収納作業性を向上できる。しかも、接続前の光コネクタや、光ファイバ同士を接続した接続状態の光コネクタを作業用開口部近傍のコネクタ保持部に取り出し可能に保持することで、光コネクタのモジュール本体内への落ち込みを防止できるので、接続や接続解除の作業性をも向上できるといった優れた効果を奏する。
【図面の簡単な説明】
【図１】  本発明の１実施の形態の光モジュールを示す全体斜視図である。
【図２】  図１の光モジュールを示す正面図である。
【図３】  図１の光モジュールの厚さ方向一側の外板を構成する蓋および外板部を取り外してモジュール本体を開放した状態を示す斜視図である。
【図４】  図１の光モジュールのモジュール本体を示す図であって、（ａ）は平面図、（ｂ）は正面図、（ｃ）は光コネクタアダプタと対向する他側部側から見た側面図である。
【図５】  図１の光モジュールのモジュール本体に内蔵される中蓋を示す図であって、（ａ）は平面図、（ｂ）は正面図、（ｃ）はモジュール本体の光コネクタアダプタに対して離間させて配置される舌片側から見た側面図である。
【図６】  従来例の光モジュールを示す全体斜視図である。
【符号の説明】
１０…光モジュール、１１…モジュール本体、１２…光ファイバ（別の光ファイバ）、１３…光コネクタ（光コネクタアダプタ）、１５…中蓋、１６…光ファイバ収納部、１７…光部品収納空間、１８…作業用開口部、１９…光ファイバ（外部の光ファイバ）、１９ａ…光コネクタ、２０…光ファイバ口、２１…スリット、２２…光部品（光ファイバ）、２３…光部品（分岐部）、２４…光コネクタ、２５…コネクタ保持部。
【図１】
0004187862.tif 000002
【図２】
0004187862.tif 000003
【図３】
0004187862.tif 000004
【図４】
0004187862.tif 000005
【図５】
0004187862.tif 000006
【図６】
0004187862.tif 000007